(57)【要約】一体ピースの舌安定化器具は、弾性的に撓むことのできる材料から形成されておりかつ中空内部を有する本体を具え、この中空内部において、使用者の舌の端部が嵌まり込んで負圧により保持されるようになっている本体を具える。この本体は、器具の中空内部への開口と、直径の小さいネック部により連結された膨大部とを具えている。使用の際には、膨大部から突出したタブが、使用者の口の周囲の顔の外側か、又は使用者の歯と唇との間にはまり、舌を前方に保持して使用者の気道が開くのを補助しいびきを低減させるようになっている。本発明による器具の利点は、患者のために調整した器具を製造するために患者の上側及び下側のあごの型を取ったり、専門家による寸法取りを行ったりする必要がないということである。
2004520084.tif 000002
【特許請求の範囲】
【請求項１】
中空内部を有する本体を具え、弾性的に撓むことができる材料から形成した一体ピースの舌安定化器具であって、この器具を使用者の舌に嵌合させるとき、前記中空内部に使用者の舌の端部が負圧により密着保持されるようになっており、
前記本体は、器具の中空内部への開口を有する入口部と、直径の小さいネック部により連結した膨大部と、この膨大部から突出するタブとを有し、使用の際には前記タブが使用者の口の周囲の顔の外側か又は使用者の歯と唇との間に掛合し、舌を前方に保持して使用者の気道を開放するよう補助していびきを低減させることを特徴とする舌安定化器具。
【請求項２】
前記入口部分に、前記開口から前記ネック部へ直径を減らしたテーパをつけた請求項１に記載の舌安定化器具。
【請求項３】
少なくとも、前記開口及び前記入口部は、器具全体を通して大きな断面直径を有するものとした請求項２に記載の舌安定化器具。
【請求項４】
器具の中空内部を、前記ネック部においてほぼハート型の断面形状にした請求項２又は３に記載の舌安定化器具。
【請求項５】
入口部の下側壁に切り込み部を設けた請求項４に記載の舌安定化器具。
【請求項６】
前記タブは、前記膨大部の外面から前記器具の長手方向軸線に対してほぼ垂直に突出している第１タブであって、使用者の口の外側又は使用者の歯と唇との間に掛合する第１タブと、この第１タブに対してほぼ反対の方向に突出する第２タブとからなるものとした請求項１乃至５に記載の舌安定化器具。
【請求項７】
前記タブを、中空とした請求項６に記載の舌安定器具。
【請求項８】
中空内部を有する本体を具え、弾性的に撓むことができる材料から形成した一体ピースの舌安定化器具であって、この器具を使用者の舌に嵌合させるとき、前記中空内部に使用者の舌の端部が負圧により密着保持されるようになっており、
前記本体は、器具の中空内部への開口と、膨大部と、前記開口と前記膨大部との間の直径の小さいネック部であって、前記開口からこのネック部まで直径を減少させてテーパを付けたネック部と、この膨大部から突出するタブとを有し、使用の際にはこのタブが使用者の口の周囲  の顔の外側に掛合し、舌を前方に保持して使用者の気道を開放するよう補助していびきを低減させることを特徴とする舌安定化器具。
【請求項９】
少なくとも、前記開口及び前記入口部は、器具全体を通して大きな断面直径を有する請求項８に記載の舌安定化器具。
【請求項１０】
器具の中空内部は、前記ネック部においてほぼハート型の断面形状を有する請求項９に記載の舌安定化器具。
【発明の詳細な説明】
【技術分野】
【０００１】
技術分野
本発明は、いびきを低減させるために使用する舌安定化器具に関するものである。
【背景技術】
【０００２】
背景技術
睡眠障害は、極めて一般的なものである。毎年約５０００万人が睡眠に対する不調を訴えており、そのうちの１０００万人については、医療的処置を求めている。睡眠が不十分であると、日中眠気を起こし、また、他の睡眠関連の問題にもつながることになる。
【０００３】
睡眠障害の一つの形態は、睡眠時無呼吸症であり、これは、睡眠時に１時間あたり５回以上、１０秒又はそれ以上にわたり空気の流れが停止するものと定義される。無呼吸症の１つの形態は、閉塞性の無呼吸症であり、上気道の気道閉塞により空気の流れが止まるものである。
【０００４】
いびきは、空気がスムーズに妨げられずに流れるのに気道が狭すぎて通過できないとき、咽頭の軟組織が振動することにより起こる。閉塞性の無呼吸症は、気道全体が閉塞することにより生ずるものであるが、いびきは、部分的な閉止又は殆どつぶれている症状である。いびきは、気道の部分的な閉塞を表すものである。つまり、空気が部分的に閉塞された気道部分を流れる際に、軟組織の振動が起こり、いびき音を発生するのである。多くの場合において、いびきをかくということは、無呼吸症が差し迫っていることの警告的前兆である。ある種のいびきは、確かに無害で単に不快な騒音に過ぎないが、大きな規則的ないびきのうち幾つかの例では、明らかな閉塞性の無呼吸症でなくても、実際には医学的な病的状態に関連する場合があることが示されている。過度の呼吸をしようとする試みと、上気道内の空気の流れの抵抗が高いことにより起こる騒音と、その結果としての睡眠からの繰り返される覚醒とにより、重度のいびきをかく人は、実際の閉塞型睡眠時無呼吸症候と共通の症状を示す場合がある。閉塞型睡眠時無呼吸症の顕著な特徴は、間欠的ないびきである。
【０００５】
口用の器具治療は、睡眠時の乱れた呼吸のうちの特定のケースを治療するために、ますます一般的になりつつある。全ての状況において完全に効果的ではないが、口用の器具は、軽度の閉塞性睡眠時無呼吸症のいびきを治療するには極めて有効であることが調査結果により示されている。
【０００６】
Ｓｎｏｒｅｘ社の米国特許第５，４６５，７３４号では、代表的には可撓性のポリビニル材料から形成した舌保持器具を記載しており、この器具は、舌の前方端部に嵌合する中空内部であって、この器具により発生される負圧により、この中空内部に舌を前方に保持するようになっている中空内部を具える。使用者の顔に掛合するのに調整可能となっており、患者用に仕立てた器具を製造するために患者の上側及び下側のあごの型を取るか、又は専門家による寸法取りが必要となる。
【発明の開示】
【０００７】
本発明は、いびきを解消する又は低減するために有効な、改良した、又は少なくとも代替的な形態の口用の治療器具を提供するものである。
【０００８】
大まかにみると、本発明は、中空内部を有する本体を具え、弾性的に撓むことができる材料から形成した一体ピースの舌安定化器具であって、この器具を使用者の舌に嵌合するとき、前記中空内部に使用者の舌の端部が負圧により密着保持されるようになっており、前記本体は、器具の中空内部への開口を有する入口部と、直径の小さいネック部により連結した膨大部と、この膨大部から突出するタブとを有し、使用の際にはこのタブが使用者の口の周囲の顔の外側か又は使用者の歯と唇との間に掛合し、舌を前方に保持して使用者の気道を開放するよう補助していびきを低減させることを特徴とする舌安定化器具である。
【０００９】
入口部には、開口からネック部まで直径を減少させたテーパを付けるのが好ましい。
少なくとも、開口及び入口部が、器具全体を通してより大きな断面寸法を有すると好ましい。
好ましい実施例では、器具の中空内部が、ネック部においてほぼハート型の断面形状を有する。
【００１０】
本発明による器具の大きな利点は、患者のために仕立てる器具を製造するために専門家による寸法取りを行ったり患者の上側及び下側のあごの型を取ったりする必要がないということである。それどころか、幾つかの寸法の範囲で器具を特別な寸法取りを行うことなく店頭で販売することができる。このことは、器具の費用を削減しこれを広く入手できるようにして睡眠時無呼吸症の人を支援するという観点から大きな進歩といえる。このことは、器具の形状によるものである。
【発明を実施するための最良の形態】
【００１１】
好適な形態の詳細な説明
添付の図面は、本発明による舌安定化器具の好ましい形態を実施例により示すものであり、本発明を限定するものではない。
好適な形態の舌安定化器具は、図示するような形状で中空内部を有する本体を具える。この器具は、弾性的に撓むことができる材料、代表的には、ポリビニル材料又はこれに類似するような合成材料から形成する。
【００１２】
器具の本体は、中空の膨大部２及び入口部３を具えており、これらを、直径を小さくしたネック部４により連結した。入口部３は、中空の内部への開口を有し、この開口からネック部４まで直径を減少させたテーパを付けて、ネック部４が器具全体で最も直径が小さくなるようにする。好ましい形態では、器具の形状を、少なくとも入口部３及びネック部４の幅が、垂直方向（通常の使用時の器具の向きに見て）の寸法よりも、大きくなるようにし、膨大部２も同様な形状とすることができるが、このことは必須のものではない。
【００１３】
さらに、好適な実施例においては、器具の中空内部は、図４に示すようにネック部４においてハート型の断面を有する。図３に示すように、切り込み７を器具に形成し、使用者の舌下膜を収容するようにするのが好ましい。
【００１４】
位置決めタブ８及び９が、膨大部２の頂部及び底部から突出している。器具は、器具の本体と一体に成形した位置決めタブ８及び９を具える一体形の器具とする。これらタブ８及び９も中空として（器具、特に膨大部２の中空内部と連通させ）、使用者の舌に器具を保持する負圧が最大となるように器具内の容積を増加させると好ましいが、このことは必須のものではない。
【００１５】
使用に際しては、使用者は、器具の膨大部２の端部を少し圧迫して、器具を舌の端部に押し付ける。その後、膨大部２を釈放すると、これにより、膨大部２が、元の形状に戻ろうとして器具内で使用者の舌の端部に対して負圧を与えるため、器具が舌の端部に保持されることになる。使用時には、タブ８及び９が使用者の顔の外部に掛合し、このとき上方タブ８が使用者の上唇に休止し、図示するように上方タブ８よりやや長くすると好ましい下方タブ９が使用者の下唇及びあごの領域に休止する。代案として、これらタブ８及び９を、膨大部の前方端部から更に少し後方で膨大部に位置させて、タブが、使用者の歯と唇との間の位置にフィットして、歯に掛合するようにすることができる。
【００１６】
本発明による舌安定化器具は、図示するように使用者の口又は歯に対してフィットするものである。舌安定化器具は、複数の寸法で提供することができるが、その形状のおかげで、従来の舌保持器具のように特別な寸法取りをしたり、或いは上方及び下方のあごの型を取ったりする必要がない。従って、例えば、薬剤師又は薬局において「店頭」で小売することができる。この器具は、歯のない患者でも使用することができる。
【００１７】
上述したところは本発明の好適な態様を説明した。当業者にとって明らかな改変及び変更は、請求項において規定される本発明の範囲に含まれるものである。
【図面の簡単な説明】
【００１８】
【図１】図１は、本発明の器具の側面図である。
【図２】図２は、図１の矢印Ａの方向からの器具の正面図である。
【図３】図３は、図１の矢印Ｂの方向からの器具の底面図である。
【図４】図４は、器具のネック部での断面図である。
【図５】図５は、使用状態の器具である。
【国際公開パンフレット】
2004520084.tif 000003
2004520084.tif 000004
2004520084.tif 000005
2004520084.tif 000006
2004520084.tif 000007
2004520084.tif 000008
2004520084.tif 000009
2004520084.tif 000010
2004520084.tif 000011
2004520084.tif 000012
2004520084.tif 000013
【国際調査報告】
2004520084.tif 000014
2004520084.tif 000015
2004520084.tif 000016